(57)【要約】【課題】  通常の敷地面積であっても、高級感を演出する車寄せを設けることが可能で、車庫として使用しない際には、種々の用途に利用可能なスペースとなるビルドインガレージ機能を有する住宅を提供する。【解決手段】  路面２側に位置する建物１の一部にエントランス３を配設するとともに、  前記エントランス３を含み、かつ車の出入りが可能なスペースの上部に、前記建物１の一部から前記スペースとエントランス３を覆って屋根１１を張り出させて車寄せスペース４を形成し、張り出した屋根１１の前縁部を複数の支柱８，８で支持するよう構成し、車の出入り部および路面２側に形成される開口部１３，１４，１５にそれぞれ電動巻上げシャッターを設けてビルドインガレージ機能を付与する。【選択図】        図１
2005146536.tif 000002
【特許請求の範囲】
【請求項１】
路面側に位置する建物の一部にエントランスを配設するとともに、
前記エントランスを含み、かつ車の出入りが可能なスペースの上部に、前記建物の一部から前記スペースとエントランスを覆って屋根を張り出させて車寄せスペースを形成し、
前記張り出した屋根の前縁部を複数の支柱で支持するよう構成したこと
を特徴とするビルドインガレージ機能を有する住宅。
【請求項２】
前記屋根の下部で、路面側に面する開口部と、車が出入りする２つの開口部は、
いずれもシャッターで自在に開閉できるよう構成されていること
を特徴とする請求項１に記載のビルドインガレージ機能を有する住宅。
【請求項３】
前記屋根の下部で、路面側に面する開口部には採光と換気機能を有する壁面が、車が出入りする２つの開口部は、いずれもシャッターで自在に開閉できるよう構成されていること
を特徴とする請求項１に記載のビルドインガレージ機能を有する住宅。
【請求項４】
前記シャッターは、
前記屋根の一部に組み込まれた電動巻き上げ式であること
を特徴とする請求項２又は３に記載のビルドインガレージ機能を有する住宅。
【請求項５】
前記各支柱は、いずれも収納部が付設されていること
を特徴とする請求項１〜４のいずれかに記載のビルドインガレージ機能を有する住宅。
【請求項６】
前記各支柱は、
断面がチャンネル状をなし、側縁間に形成される空間部を収納部とし、当該収納部に開閉用の扉を付設したこと
を特徴とする請求項１〜５のいずれかに記載のビルドインガレージ機能を有する住宅。
【請求項７】
前記建物は、
前記車の出入りが可能なスペースに面するエントランス以外に、サブエントランスを有すること
を特徴とする請求項１〜６のいずれかに記載のビルドインガレージ機能を有する住宅。
【請求項８】
前記屋根は、
前記建物に形成される屋根の勾配よりも緩い勾配とし、天井の高さをより高くしたこと
を特徴とする請求項１〜７のいずれかに記載のビルドインガレージ機能を有する住宅。
【発明の詳細な説明】
【技術分野】
【０００１】
この発明は、一般的な住宅で、様々な作業をすることができる部屋にもなるビルトインガレージ機能を備えた住宅に関するものである。
【背景技術】
【０００２】
住宅に付設するガレージとしては、住宅の庭部分などに設置されるカーポートや、高台などに構築される住宅の下部に付設される掘り込みガレージ、さらには宅地に２階以上の住宅を構築し、その１階部分をガレージとするビルドインガレージが知られている。
【０００３】
一方、車を家の前に乗り付けて、雨の日などに同乗者を濡らすことなく車から乗降させるための車寄せは、広い敷地と多大な費用を必要とすることから豪邸と呼ばれるような住宅やホテルに供給されるのみで、一般的な住宅にはほとんど見られない。
【０００４】
このような現状に鑑み、たとえば、特開２００３−１８４３２２号公報（特許文献１）においては、建物のデザインと同一の屋根、壁、柱を有し、かつ、車が通り抜け可能に形成された車寄せスペースを建物の前面道路側に接続し、前記車寄せスペースと隣接して玄関およびリビングルームに配置するとともに、これら両部屋の車寄せスペースと面した壁に、出入り口をそれぞれ設けた車寄せスペースを備えた住宅が提案されている。
【特許文献１】特開２００３−１８４３２２号公報（特許請求の範囲、図１）
【発明の開示】
【発明が解決しようとする課題】
【０００５】
しかしながら、この特許文献１に記載の住宅は、車寄せの屋根、壁、柱を建物のデザインと同一にして、来客者に高級な印象を与えたり、車寄せスペースを有効に利用することができたりと有用なものではあるが、その構成は、従来の車寄せと同様で、車を駐車させるための車庫を敷地内に別に設けなくてはならないので、敷地の狭い一般的な住宅に車寄せと車庫の両方を備えさせるということは、敷地面積の関係から現実的に不可能なものであった。
【０００６】
また、特許文献１に記載の住宅は、車寄せスペースに駐車している間は、住宅への出入り口（玄関）が車で塞がれているので、家人の出入りに支障をきたすおそれが多分に存在する。また、玄関ドアに併設して掃き出し窓（出入り口）が形成されているので、防犯という観点からは必ずしも有利ではないなど実用上解決すべき多くの課題を有しているものである。
【０００７】
この発明はかかる問題点に鑑み、通常の敷地面積であっても、高級感を演出する車寄せを設けることが可能で、車庫として使用しない際には、種々の用途に利用可能なスペースとなるビルドインガレージ機能を有する住宅を提供せんとするものである。
【課題を解決するための手段】
【０００８】
前記目的を達成するため、この発明の請求項1に記載の発明は、
路面側に位置する建物の一部にエントランスを配設するとともに、
前記エントランスを含み、かつ車の出入りが可能なスペースの上部に、前記建物の一部から前記スペースとエントランスを覆って屋根を張り出させて車寄せスペースを形成し、
前記張り出した屋根の前縁部を複数の支柱で支持するよう構成したこと
を特徴とするビルドインガレージ機能を有する住宅である。
【０００９】
また、この発明の請求項２に記載の発明は、
請求項１に記載のビルドインガレージ機能を有する住宅において、
前記屋根の下部で、路面側に面する開口部と、車が出入りする２つの開口部は、
いずれもシャッターで自在に開閉できるよう構成されていること
を特徴とするものである。
【００１０】
また、この発明の請求項３に記載の発明は、
請求項１に記載のビルドインガレージ機能を有する住宅において、
前記屋根の下部で、路面側に面する開口部には採光と換気機能を有する壁面が、車が出入りする２つの開口部は、いずれもシャッターで自在に開閉できるよう構成されていること
を特徴とするものである。
【００１１】
また、この発明の請求項４に記載の発明は、
請求項２又は３に記載のビルドインガレージ機能を有する住宅において、
前記シャッターは、
前記屋根の一部に組み込まれた電動巻き上げ式であること
を特徴とするものである。
【００１２】
また、この発明の請求項５に記載の発明は、
請求項１〜４のいずれかに記載のビルドインガレージ機能を有する住宅において、
前記各支柱は、いずれも収納部が付設されていること
を特徴とするものである。
【００１３】
また、この発明の請求項６に記載の発明は、
請求項１〜５のいずれかに記載のビルドインガレージ機能を有する住宅において、
前記各支柱は、
断面がチャンネル状をなし、側縁間に形成される空間部を収納部とし、当該収納部に開閉用の扉を付設したこと
を特徴とするものである。
【００１４】
また、この発明の請求項７に記載の発明は、
請求項１〜６のいずれかに記載のビルドインガレージ機能を有する住宅において、
前記建物は、
前記車の出入りが可能なスペースに面するエントランス以外に、サブエントランスを有すること
を特徴とするものである。
【００１５】
また、この発明の請求項８に記載の発明は、
請求項１〜７のいずれかに記載のビルドインガレージ機能を有する住宅において、
前記屋根は、
前記建物に形成される屋根の勾配よりも緩い勾配とし、天井の高さをより高くしたこと
を特徴とするものである。
【発明の効果】
【００１６】
この発明のビルドインガレージ機能を有する住宅においては、路面２側に位置する建物の一部に主にゲストが出入りするためのエントランスが配設され、このエントランスを含み、かつ車の出入りが可能なスペースの上部に、前記建物の一部から前記スペースとエントランスを覆って屋根を張り出させ、前記張り出した屋根の前縁部を複数の支柱で支持して車寄せスペースを構成しているので、雨に全く濡れることなく、また夏の直射日光に曝されることなく建物に出入りすることを可能としたものである。
【００１７】
特に、この発明のビルドインガレージ機能を有する住宅においては、建物と屋根の前縁部を支える支柱との間に形成される車寄せスペースの、建物以外の３面開口部にそれぞれ開閉自在なシャッターを設けることによって、夜間などには車寄せスペースを駐車場とすることができるので、広い敷地を要することなく高級感の溢れる車寄せスペースを形成することが可能となり、いわゆるビルドインガレージの機能を発揮させることができる。
【００１８】
また、前記車寄せスペースは、建物側を除く３つの開口部のうち、少なくとも車が出入りする開口部に開閉自在にシャッターを取付け、内部空間を外界と遮断できるように構成することによって、得られた空間を遊び場、駐車場などとして有効に利用することが可能となるとともに、車を自然災害から守り、多雪地域ではエントランスに吹き込む雪を防ぐことができる。
【００１９】
また、車寄せスペースの上部を覆う屋根を支える支柱に収納機能を持たせることによって、車両用の工具や、子供の遊び道具、庭手入れ用の用具などを収納させることができ、サブエントランスを設けることによって、車寄せスペースが車庫として使用されていても人の出入りに支障をきたすおそれがなく、前記屋根の勾配を緩く設計することによって天井を高くし、圧迫感を解消し、開放感、高級感を演出することができなど実用上多大の利点を有するものである。
【発明を実施するための最良の形態】
【００２０】
以下、この発明のビルドインガレージ機能を有する住宅の最良の形態を、添付の図面に基づいて具体的に説明すると、図１はビルドインガレージ機能を有する住宅の一例を示す正面図、図２は、図１の１階部分を示す概略説明図である。
【００２１】
図１において、この発明の住宅１は、路面２との間に車が通行可能な幅を存して、エントランス３が路面２に面するよう建築されるもので、図２で明らかなように基本的に２階建て構造を有し、前記エントランス３と路面２との空間部を車寄せスペース４とし、この車寄せスペース４を挟んで路面２に面する２ヶ所には、車が出入りするための車両用出入り口５，６が配設されるとともに、一方の車両用出入り口５側には人が出入りするための出入り口７が併せて設けられている。
【００２２】
なお、図１においては、車両用出入り口は、路面２に沿って左右２ヶ所に形成されているが、たとえば、一方の車両用出入り口５又は６から進入した車がＵターンするスペースが敷地内にある場合には、車両用出入り口は１ヶ所でもよく、住宅１は２階建てが好ましいが、平屋であってもよいことは当然である。
【００２３】
前記エントランス３の前面に形成された車寄せスペース４の路面２側には、一対の支柱８，８が所要間隔を存して配置されるもので、この支柱８，８はチャンネル状に形成した木材あるいはチャンネル状の鋼材等を使用し、その開口部に開閉扉９，９を設けることによって、内部空間を収納部１０，１０としたもので、その高さは２階建ての場合には、２階床面より少し高く、平屋の場合には屋根の軒高より少し高めに設定されるが、いずれの場合も特段の制限はなく、要は圧迫感をなくし、開放感、高級感が演出できる高さとすることが好ましい。
【００２４】
なお、支柱８は、内部に収納部が形成されるものであれば、その材質や形状には特段の制限はないものである。
【００２５】
前記支柱８，８は、エントランス３前に形成された車寄せスペース４の上部を覆う庇ないし屋根１１の軒先部を支えるもので、その棟（基端部）側は住宅１の外壁に固着されるもので、屋根１１の勾配を、たとえば２階に屋根１２の勾配よりも緩くすることによって車寄せスペース４の天井を高くし、開放感を与えることができる。
【００２６】
前記車寄せスペース４は、図１で明らかなように、住宅１側以外の３ヶ所、すなわち、車が出入りするための左右側と道路側に、それぞれ開口部１３，１４，１５が形成されるので、これら開口部１３から１５に、それぞれ屋根１１内に巻上げ装置を有する電動巻上げ式のシャッター（図示せず）を装着し、車寄せスペース４全体をビルドインガレージとしたものである。
【００２７】
その際、路面２側の開口部１５はシャッターを装着せず、採光と換気機能を有する壁面を設けて常時閉止状態に保持してもよいが、３面が開口する構成とすることによって、狭くならざるを得ない車寄せスペース４をより開放的にすることができる。
【００２８】
このように車寄せスペース４の開口部１３〜１５をそれぞれ開閉自在とすることによって、たとえば日中は開放状態に保持し、車寄せスペース機能を奏させ、同時に幼児などの遊び場として使用し、夜間は各開口部１３〜１５を閉止してガレージとして使用することができるもので、たとえば、車を他の駐車スペースに移動させ、遊び場とし、さらには車を駐車させた状態で各開口部１３〜１５を閉止し、内部空間を簡易な車修理場として使用することも可能で、広い用途に使用することができる。
【００２９】
なお、図１において、１６は、サブエントランスで、車寄せスペース４の開口部１３〜１５が全て閉止された場合、住宅に人の出入りができなくなることを防止するものであるが、車の出入りする開口部１３又は１４のいずれか一方のシャッターに出入り口を形成してサブエントランスとすることもできる。
【図面の簡単な説明】
【００３０】
【図１】この発明のビルドインガレージ機能を有する住宅の一例を示す正面図である。
【図２】図１の１階部分を示す概略説明図である。
【符号の説明】
【００３１】
１        ビルトインガレージ機能を備えた住宅
２        路面
３        エントランス
４        車寄せスペース
５，６    車両用出入り口
７        出入り口
８        支柱
９        開閉扉
１０        収納部
１１，１２  屋根
１３〜１５  開口部
１６        サブエントランス
【図１】
2005146536.tif 000003
【図２】
2005146536.tif 000004